(57)【要約】【課題】電食による損傷を効果的に抑制でき、かつ音響特性にも優れるインバータ駆動モータ用グリース封入軸受を提供する。【解決手段】インバータ駆動モータ用グリース封入軸受１は、インバータ制御により駆動されるインバータ駆動モータの回転子であるローラ１３を主軸１１を介して支持する軸受であり、内輪２と、外輪３と、この内外輪間に介在する複数の転動体４と、この転動体の周囲に封入されるグリースと、内輪および外輪の軸方向両端開口部に設けられた該グリースを封止するためのシール部材とを備え、上記グリースが、基油と増ちょう剤とからなるベースグリースに、アルキル芳香族スルホン酸のアミン塩を所定量含有する添加剤を配合してなる。【選択図】図１
2015028351.tif 000002
【特許請求の範囲】
【請求項１】
インバータ制御により駆動されるインバータ駆動モータの回転子を支持するインバータ駆動モータ用グリース封入軸受であって、
該グリース封入軸受は、内輪と、外輪と、この内外輪間に介在する複数の転動体と、この転動体の周囲に封入されるグリースと、前記内輪および外輪の軸方向両端開口部に設けられた該グリースを封止するためのシール部材とを備えてなり、
前記グリースは、基油と増ちょう剤とからなるベースグリースに添加剤を配合してなり、前記添加剤は少なくともアルキル芳香族スルホン酸のアミン塩を含有し、該アルキル芳香族スルホン酸のアミン塩が前記ベースグリース１００重量部に対して０．０５〜１０重量部含まれることを特徴とするインバータ駆動モータ用グリース封入軸受。
【請求項２】
前記アルキル芳香族スルホン酸のアミン塩を構成するアミンが、アミノ基を複数有するアミンであることを特徴とする請求項１記載のインバータ駆動モータ用グリース封入軸受。
【請求項３】
前記アルキル芳香族スルホン酸のアミン塩が、ジノニルナフタレンスルホン酸のジエチレントリアミン塩またはエチレンジアミン塩であることを特徴とする請求項２記載のインバータ駆動モータ用グリース封入軸受。
【請求項４】
前記基油がエステル油およびポリ−α−オレフィン油から選ばれる少なくとも１つの油であり、前記増ちょう剤がウレア化合物を含むことを特徴とする請求項１、請求項２または請求項３記載のインバータ駆動モータ用グリース封入軸受。
【請求項５】
前記内輪、前記外輪、および前記転動体が鉄系金属からなることを特徴とする請求項１から請求項４のいずれか１項記載のインバータ駆動モータ用グリース封入軸受。
【発明の詳細な説明】
【技術分野】
【０００１】
本発明はインバータ駆動モータ用グリース封入軸受に関し、特に産業機械や自動車電装補機用のインバータ駆動モータに用いられるグリース封入軸受に関する。
【背景技術】
【０００２】
自動車における電装部品や補機、産業機械におけるモータ等は、年々小型化や高性能化、高出力化が求められており、使用条件が厳しくなってきている。これらには、密封深溝玉軸受（転がり軸受）が一般的に使用されており、インバータ制御のモータにおいても多く使用されている。インバータ制御することによる、保守点検の簡易化、高速化、可変対応可能等の利便性のため、インバータモータの利用比率は増加しており、今後もその増加傾向は続く見込みである。インバータ制御は、電圧と周波数とを調整するものであり、インバータ駆動モータに組み込まれる転がり軸受は、インバータ回路からの高周波の電流が流れ込むことにより起こる「電食」と呼ばれる損傷を転走面等において受けることがある。
【０００３】
このような不具合を発生させないように、従来では、軸受を構成する転動体をセラミックスで形成して絶縁することにより、電食による損傷を回避することが提案されている（特許文献１および特許文献２参照）。また、特許文献３では、グリースの基油にイオン性液体を用い、増ちょう剤にカーボンブラックを用いることで、グリース自体の体積抵抗率を下げて電食を防止する転がり軸受が提案されている（特許文献３参照）。その他、封入するグリースにおいて、不動態被膜（酸化被膜）などを形成可能な添加剤を配合して電食を防止することが考えられる。
【先行技術文献】
【特許文献】
【０００４】
【特許文献１】特許第２９９１８３４号
【特許文献２】特許第２９３４６９７号
【特許文献３】特開２００６−２５０３２３号公報
【発明の概要】
【発明が解決しようとする課題】
【０００５】
しかしながら、特許文献１や２のようにセラミックス製の軸受部材を用いる場合、製品コストが非常に高価となり、一般的な対策とは言い難い。また、特許文献３では、封入するグリースの体積抵抗率を下げるために、基油と増ちょう剤との組み合わせが限定され、十分な潤滑寿命を確保することが困難となるおそれがある。
【０００６】
また、インバータ駆動モータ用軸受では、振動や異音の発生を防止すること、すなわち音響特性に優れることも重要な課題である。電食による摩耗を防止することは、該振動や異音の防止に繋がる。しかし、封入するグリースにおいて、不動態被膜（酸化被膜）などを形成可能な添加剤を配合して電食を防止しようとする場合、酸化被膜により電食自体を防止できても、その添加剤種によっては振動や異音が発生するおそれがある。
【０００７】
本発明はこのような問題に対処するためになされたものであり、電食による損傷を効果的に抑制でき、かつ音響特性にも優れるインバータ駆動モータ用グリース封入軸受の提供を目的とする。
【課題を解決するための手段】
【０００８】
本発明のインバータ駆動モータ用グリース封入軸受は、インバータ制御により駆動されるインバータ駆動モータの回転子を支持する軸受であり、内輪と、外輪と、この内外輪間に介在する複数の転動体と、この転動体の周囲に封入されるグリースと、上記内輪および外輪の軸方向両端開口部に設けられた該グリースを封止するためのシール部材とを備えてなり、上記グリースは、基油と増ちょう剤とからなるベースグリースに添加剤を配合してなり、上記添加剤は少なくともアルキル芳香族スルホン酸のアミン塩を含有し、該アルキル芳香族スルホン酸のアミン塩が上記ベースグリース１００重量部に対して０．０５〜１０重量部含まれることを特徴とする。
【０００９】
上記アルキル芳香族スルホン酸のアミン塩を構成するアミンが、アミノ基を複数有するアミンであることを特徴とする。特に、上記アルキル芳香族スルホン酸のアミン塩が、ジノニルナフタレンスルホン酸のジエチレントリアミン塩またはエチレンジアミン塩であることを特徴とする。
【００１０】
上記基油がエステル油およびポリ−α−オレフィン（以下、「ＰＡＯ」ともいう）油から選ばれる少なくとも１つの油であり、上記増ちょう剤がウレア化合物を含むことを特徴とする。
【００１１】
上記内輪、上記外輪、および上記転動体が鉄系金属からなることを特徴とする。
【発明の効果】
【００１２】
本発明のインバータ駆動モータ用グリース封入軸受は、基油と増ちょう剤とからなるベースグリースに、添加剤としてアルキル芳香族スルホン酸のアミン塩を所定割合で配合したグリースを封入してなるので、インバータ回路からの高周波の電流が流れ込むことにより起こる転走面等での損傷（電食）を抑制し、長時間の使用が可能となる。また、音響特性にも優れ、振動や異音の発生を防止できる。さらに、軸受部材である内輪、外輪、転動体について、鉄系金属材料を使用することができ、セラミックス等を使用する必要がないため安価に得られる。
【図面の簡単な説明】
【００１３】
【図１】本発明のインバータ駆動モータ用グリース封入軸受を出力モータ用軸受に使用したモータの概略断面図および一部拡大図である。
【図２】深溝玉軸受の断面図である。
【発明を実施するための形態】
【００１４】
本発明の一実施例を図１に基づいて説明する。モータの回転子を支持するインバータ駆動モータ用グリース封入軸受の一例を図１に示す。図１（ａ）は該軸受を出力モータ用軸受に使用したモータの概略断面図であり、図１（ｂ）は図１（ａ）のＡ部拡大図である。図１（ａ）および（ｂ）に示すように、モータ１０は、主軸１１と連動するプーリ１７にベルト１８を装着して負荷対象を回転させている。主軸１１にロータ１３が取り付けられ、その一端にプーリ１７が取り付けられ、空調用ファンなどを回転させるベルト１８が装着されている。また、主軸１１は、ロータ１３の両端に取り付けられた第１ラジアル玉軸受１５および第２ラジアル玉軸受１６により、フランジ１４に回転自在に軸支されている。フランジ１４には、ロータ１３に対向してステータ１２が固定されている。さらに、波形ばね座金１９がフランジ１４と第２ラジアル玉軸受１６との間に位置して予圧を付与している。第１ラジアル玉軸受１５および第２ラジアル玉軸受１６が、本発明のインバータ駆動モータ用グリース封入軸受であり、主軸１１を介して回転子であるロータ１３を支持している。
【００１５】
図１（ａ）および（ｂ）では、ばねを用いて予圧する方法が採用され、さらばね、波形ばね座金１９などがフランジ１４と第２ラジアル玉軸受１６との間に位置して予圧を付与している状態を示している。第２ラジアル玉軸受１６は、図１（ｂ）に示すように、内方部材としての内輪２、外方部材としての外輪３、転動体としての複数の玉４、および複数の玉４を保持する保持器５を備えている。さらに、内輪２および外輪３の軸方向両端開口部には、図示しないシール部材が設けられ、玉４の周囲に後述する所定のグリースが封入されている。また、第１ラジアル玉軸受１５は、第２ラジアル玉軸受１６と同様の構造である。この形態では、第１ラジアル玉軸受１５および第２ラジアル玉軸受１６として、深溝玉軸受を使用している。なお、深溝玉軸受の他に、必要に応じて、例えばアンギュラ玉軸受、円筒ころ軸受、円すいころ軸受、自動調心ころ軸受、針状ころ軸受、スラスト円筒ころ軸受、スラスト円すいころ軸受、スラスト針状ころ軸受、スラスト自動調心ころ軸受なども採用することもできる。
【００１６】
上記のインバータ駆動モータ用グリース封入軸受（深溝玉軸受）の詳細を図２に基づいて説明する。図２は、該軸受の断面図である。インバータ駆動モータ用グリース封入軸受１は、深溝玉軸受であり、外周面に内輪転走面２ａを有する内輪２と内周面に外輪転走面３ａを有する外輪３とが同心に配置され、内輪転走面２ａと外輪転走面３ａとの間に複数個の転動体である玉４が配置される。また、この複数個の転動体である玉４を保持する保持器５が設けられている。また、外輪３等に固定されるシール部材６が、内輪２および外輪３の軸方向両端開口部８ａ、８ｂに設けられている。少なくとも玉４の周囲に後述する所定のグリース７が封入されている。
【００１７】
内輪、外輪、転動体、保持器等の軸受部材は、鉄系金属材料で形成できる。本発明では後述するグリースの作用により電食を防止するため、これらの軸受部材についてセラミックス材料を用いる必要がない。鉄系金属材料としては、軸受分野で一般的に用いられる任意の材料であり、例えば、高炭素クロム軸受鋼（ＳＵＪ１、ＳＵＪ２、ＳＵＪ３、ＳＵＪ４、ＳＵＪ５等；ＪＩＳ Ｇ ４８０５）、浸炭鋼（ＳＣｒ４２０、ＳＣＭ４２０等；ＪＩＳ Ｇ ４０５３）、ステンレス鋼（ＳＵＳ４４０Ｃ等；ＪＩＳ Ｇ ４３０３）、高速度鋼（Ｍ５０等）、冷間圧延鋼などが挙げられる。
【００１８】
本発明のインバータ駆動モータ用グリース封入軸受に用いるグリースは、基油と増ちょう剤とからなるベースグリースに、アルキル芳香族スルホン酸のアミン塩を必須添加剤として配合したものである。アルキル芳香族スルホン酸のアミン塩を配合することで、軸受転走面にこれが吸着等して安定な被膜が形成される。この被膜により、通電時の摩耗を低減でき、電食を防止できる。鉄系金属からなる転動体と軌道輪、転動体と保持器などの軸受部材同士が、グリースに接触しながら転がり接触・摺動する場合、部材同士の接触面において、油膜が殆ど無くなり、部分的に金属同士の表面が直接触れ合っているような状態である境界潤滑条件となる場合がある。このように、摺動面における過酷条件下（境界潤滑条件）で油膜が薄くなる場合であっても、アルキル芳香族スルホン酸のアミン塩が該部分に入り込みやすく上記被膜を形成できる。
【００１９】
本発明で使用できるアルキル芳香族スルホン酸のアミン塩を構成するスルホン酸としては、その芳香族基が単環、多環縮合環のいずれでもよく、例えば、ベンゼン、ナフタレン、アントラセン、フェナントレン等が挙げられる。これらの中でも、熱安定性に優れていることから、芳香族基がベンゼンである下記式（１）で示すアルキルベンゼンスルホン酸、芳香族基がナフタレンである下記式（２）で示すアルキルナフタレンスルホン酸が好ましい。特に高い熱安定性を有することから、ジノニルナフタレンスルホン酸等のアルキルナフタレンスルホン酸が好ましい。
【化１】
2015028351.tif 000003
【００２０】
式（１）（２）中において、Ｒ、Ｒ’は、それぞれアルキル基（脂肪族炭化水素基）であり、ｎは１〜３の整数である。Ｒ、Ｒ’における炭素数は、１〜３０が好ましく、６〜１８がより好ましく、８〜１０が特に好ましい。
【００２１】
また、アルキル芳香族スルホン酸のアミン塩を構成するアミンとしては、エチルアミン、トリメチルアミン、エチレンジアミン、ジエチレントリアミンなどが挙げられる。これらの中でも、アミノ基を複数有するエチレンジアミンやジエチレントリアミンを用いることが好ましい。アミンとしてエチレンジアミンやジエチレントリアミンを用いる場合、キレート作用により鉄イオンを挟み込み鉄系金属新生面の露出を防止でき、また、金属表面への吸着力が高く、電食による摩耗を低減できる被膜を容易に形成しやすい。
【００２２】
アルキル芳香族スルホン酸のアミン塩は、１種単独で用いても２種類以上を組み合わせて用いてもよい。また、アルキル芳香族スルホン酸のアミン塩は、室温および使用温度で液状のものが好ましい。また、脂肪族溶剤、鉱物油等に分散された状態であってもよい。液状物を用いることで、音響特性への悪影響がなく、また、過酷条件下で摺動部の油膜が薄くなる場合でも該摺動部により入り込みやすく被膜を形成しやすい。アルキル芳香族スルホン酸のアミン塩の動粘度としては、１００℃において１０〜１００ｍｍ２／ｓが好ましく、１００℃において２０〜８５ｍｍ２／ｓがより好ましい。
【００２３】
アルキル芳香族スルホン酸のアミン塩の市販品としては、例えば、Ｋｉｎｇ社製のＮＡ−ＳＵＬ  ＤＴＡ（ジノニルナフタレンスルホン酸のジエチレントリアミン塩）、ＮＡ−ＳＵＬ  ＥＤＳ（ジノニルナフタレンスルホン酸のエチレンジアミン塩）等が挙げられる。
【００２４】
また、アルキル芳香族スルホン酸のアミン塩に替えて、同スルホン酸のアルカリ金属塩やアルカリ土類金属塩を用いる場合、後述の比較例等に示すとおり、電食による摩耗を防止できない場合がある。このため、アルキル芳香族スルホン酸のアルカリ金属塩やアルカリ土類金属塩は含有しないことが好ましい。
【００２５】
アルキル芳香族スルホン酸のアミン塩の配合割合は、ベースグリース（基油と増ちょう剤）１００重量部に対して０．０５〜１０重量部とする。アルキル芳香族スルホン酸のアミン塩の配合割合が０．０５重量部未満であると、電食による摩耗を十分に防止できないおそれがある。また、アルキル芳香族スルホン酸のアミン塩の配合割合が１０重量部をこえると、鉄との反応性が高くなりすぎて腐食摩耗などの異常摩耗が生じるおそれがある。好ましくは０．１〜１０重量部であり、より好ましくは０．５〜５重量部であり、さらに好ましくは１〜３重量部である。
【００２６】
本発明で使用できる基油としては、特に限定されず、通常のグリースの分野で使用される一般的なものを使用できる。例えば、スピンドル油、冷凍機油、タービン油、マシン油、ダイナモ油等の鉱油、高度精製鉱油、流動パラフィン油、ポリブテン油、フィッシャー・トロプシュ法により合成されたＧＴＬ油、ＰＡＯ油、アルキルナフタレン油、脂環式化合物等の炭化水素系合成油、または、天然油脂、ポリオールエステル油、りん酸エステル油、ポリマーエステル油、芳香族エステル油、炭酸エステル油、ジエステル油、ポリグリコール油等のエステル油、シリコーン油、ポリフェニルエーテル油、アルキルジフェニルエーテル油、アルキルベンゼン油、フッ素化油等の非炭化水素系合成油等が挙げられる。これらを単独で用いても２種類以上を組み合わせて用いてもよい。
【００２７】
これらの中でも、耐熱性、潤滑性、および低騒音性に優れることから、ＰＡＯ油およびエステル油から選ばれる少なくとも１つの油を用いることが好ましい。
【００２８】
基油の動粘度（混合油の場合は、混合油の動粘度）としては、４０℃において１０〜２００ｍｍ２／ｓが好ましい。より好ましくは１０〜１２０ｍｍ２／ｓである。
【００２９】
本発明で使用できる増ちょう剤としては、特に限定されず、通常グリースの分野で使用される一般的なものを使用できる。例えば、金属石けん、複合金属石けんなどの石けん系増ちょう剤、ベントン、シリカゲル、ウレア化合物、ウレア・ウレタン化合物などの非石けん系増ちょう剤を使用できる。金属石けんとしては、リチウム石けん、ナトリウム石けん、カルシウム石けん、アルミニウム石けんなどが、金属複合石けんとしては、リチウムコンプレックス石けん、カルシウムコンプレックス石けん、アルミニウムコンプレックス石けんなどが、ウレア化合物およびウレア・ウレタン化合物としては、ジウレア化合物、トリウレア化合物、テトラウレア化合物、他のポリウレア化合物、ジウレタン化合物などが挙げられる。これらの中でも、低騒音性、耐熱性に優れ、低コストであることから、ウレア化合物またはリチウム石けんを用いることが好ましい。
【００３０】
ウレア化合物は、ポリイソシアネート成分とモノアミン成分とを反応して得られる。ポリイソシアネート成分としては、フェニレンジイソシアネート、トリレンジイソシアネート、ジフェニルジイソシアネート、ジフェニルメタンジイソシアネート、オクタデカンジイソシアネート、デカンジイソシアネート、ヘキサンジイソシアネー卜などが挙げられる。また、モノアミン成分は、脂肪族モノアミン、脂環族モノアミンおよび芳香族モノアミンを用いることができる。脂肪族モノアミンとしては、ヘキシルアミン、オクチルアミン、ドデシルアミン、ヘキサデシルアミン、オクタデシルアミン、ステアリルアミン、オレイルアミンなどが挙げられる。脂環族モノアミンとしては、シクロヘキシルアミンなどが挙げられる。芳香族モノアミンとしては、アニリン、ｐ−トルイジンなどが挙げられる。
【００３１】
これらのウレア化合物の中でも、耐熱性、潤滑性、低騒音性を兼ね備えることから、ポリイソシアネート成分として芳香族ジイソシアネートを用い、モノアミン成分とし脂肪族モノアミンを用いた脂肪族ジウレア化合物を用いることが好ましい。
【００３２】
基油に増ちょう剤を配合してベースグリースが得られる。ウレア化合物を増ちょう剤とするベースグリースは、基油中で上記ポリイソシアネート成分とモノアミン成分とを反応させて作製する。ベースグリース１００重量部に占める増ちょう剤の配合割合は１〜４０重量部、好ましくは３〜２５重量部である。増ちょう剤の含有量が１重量部未満では、増ちょう効果が少なくなり、グリース化が困難となり、４０重量部をこえると得られたベースグリースが硬くなりすぎ、所期の効果が得られ難くなる。
【００３３】
上記グリースの作製方法としては、まず、基油にアルキル芳香族スルホン酸のアミン塩を配合し、この基油を用いて増ちょう剤を作製する方法、グリースを調整した後にこれに分散液を加える方法のいずれであってもよい。アルキル芳香族スルホン酸のアミン塩がアミノ基を含むので、基油中で上記ポリイソシアネート成分とモノアミン成分とを反応させてベースグリースを作製した後に、アルキル芳香族スルホン酸のアミン塩を添加することが好ましい方法である。
【００３４】
上記グリースの混和ちょう度（ＪＩＳ Ｋ ２２２０）は、２００〜３５０の範囲にあることが好ましい。ちょう度が２００未満である場合は、油分離が小さく潤滑不良となるおそれがある。一方、ちょう度が３５０をこえる場合は、グリースが軟質で軸受外に流出しやすくなり好ましくない。
【００３５】
上記グリースには、本発明の目的（特に音響特性）を損なわない範囲で、必要に応じてアルキル芳香族スルホン酸のアミン塩以外の公知の酸化防止剤、金属不活性剤、粘度指数向上剤、防錆剤、油性剤、摩擦低減剤などの添加剤を含有させてもよい。上記の中でも添加剤として、フェノール系酸化防止剤、アミン系酸化防止剤およびジチオリン酸亜鉛から選ばれる少なくとも１つの酸化防止剤を含むことが好ましい。特に、ジチオリン酸亜鉛（ジアルキルジチオリン酸亜鉛）は必須とし、これにフェノール系酸化防止剤、アミン系酸化防止剤の一方を併用することが好ましい。また、これら酸化防止剤の配合割合は、基油と増ちょう剤の合計量１００重量部に対して合計で０．５〜５重量部であることが好ましい。
【００３６】
また、含まないことが好ましい添加剤としては、無機酸のアルカリ金属塩、無機酸のアルカリ土類金属塩が挙げられる。ここで、無機酸としては、リン酸（オルトリン酸）、塩酸、硝酸、硫酸、ホウ酸等が挙げられ、アルカリ金属およびアルカリ土類金属としては、リチウム、ナトリウム、カリウム、カルシウム、ストロンチウム、バリウム等が挙げられる。具体的には、第三リン酸カルシウム（オルトリン酸のカルシウム塩）などが挙げられる。また、モリブデン酸の金属塩も含まないことが好ましい。
【実施例】
【００３７】
本発明を実施例および比較例により具体的に説明するが、これらの例によって何ら限定されるものではない。
【００３８】
実施例１〜実施例７、比較例１〜比較例７
表１に示した基油の半量に、４，４'−ジフェニルメタンジイソシアネート（以下、ＭＤＩと記す）を各表に示す割合で溶解し、残りの半量の基油にＭＤＩの２倍当量となるモノアミンを溶解した。それぞれの配合割合および種類は表１のとおりである。ＭＤＩを溶解した溶液を撹拌しながらモノアミンを溶解した溶液を加えた後、１００〜１２０℃で３０分間撹拌を続けて反応させて、ジウレア化合物を基油中に生成させベースグリースを得た。これにアルキル芳香族スルホン酸のアミン塩等の各添加剤を各表に示す配合割合で加えてさらに１００〜１２０℃で１０分間撹拌した。その後、冷却し、三本ロールで均質化してグリースを得た。
【００３９】
得られたグリースについて以下の音響測定と通電摩耗試験を行なった。試験方法および試験条件を以下に示す。また、結果を表１に示す。
【００４０】
＜音響測定＞
表１に示すグリースを０．１ｇ封入した深溝玉軸受（軸受寸法：φ８×φ２２×７（ｍｍ））を用意し、この軸受に７．８Ｎのアキシアル荷重をかけ、１８００ｒｐｍで３０秒運転し、振動値Ｇ（ＲＭＳ値）を測定した。下記のように３段階評価した。
◎：振動値が２５ｍＧ未満
○：振動値が５０ｍＧ未満
×：振動値が５０ｍＧ以上
【００４１】
＜通電摩耗試験＞
転がり軸受（５１１０６）に各実施例で得られたグリースをそれぞれ１ｇ封入し、室温（２５℃）、アキシアル荷重１４５０Ｎ下で２Ａの電流を外輪と内輪との間に負荷した状態で２６００ｒｐｍの回転数で回転させ、２４時間後に、電食による内、外輪の摩耗量を重量減少量にて測定した。下記のように３段階評価した。
◎：摩耗量が１ｍｇ未満
○：摩耗量が２ｍｇ未満
×：摩耗量が２ｍｇ以上
【００４２】
【表１】
2015028351.tif 000004
【００４３】
表１に示すように、アルキル芳香族スルホン酸のアミン塩を配合した各実施例は、通電摩耗試験における摩耗量が少なく電食を効果的に防止でき、かつ、音響特性にも優れることが分かる。
【産業上の利用可能性】
【００４４】
本発明のインバータ駆動モータ用グリース封入軸受は、インバータ回路からの高周波の電流が流れ込むことにより起こる損傷（電食）を抑制し、長時間の使用が可能であり、かつ音響特性にも優れるので、インバータ制御のモータに用いられる軸受として好適に利用できる。
【符号の説明】
【００４５】
１  インバータ駆動モータ用グリース封入軸受
２  内輪
３  外輪
４  玉（転動体）
５  保持器
６  シール部材
７  グリース
８ａ  開口部
８ｂ  開口部
１０  モータ
１１  モータ主軸
１２  ステータ
１３  ロータ（回転子）
１４  フランジ
１５  第１の玉軸受
１６  第２の玉軸受
１７  プーリ
１８  ベルト
１９  波形ばね座金
【図１】
2015028351.tif 000005
【図２】
2015028351.tif 000006